(57)【要約】【課題】複数のエレベータのかごに設置されたエアコンに対する制御を遠隔操作で指示するエレベータ用エアコン管理システムの提供を図る。【解決手段】エレベータのかご１にエアコン１１とリモコン１２と温度センサ１３とを設け、エレベータのかご２にエアコン２１とリモコン２２と温度センサ２３とを設け、エアコン１に対する制御をリモコン１２とネットワーク３１を経由して接続された監視装置４１で指示すことにより、又、エアコン１２に対する制御をリモコン２２とネットワーク３１を経由して接続された監視装置４１で指示することにより、複数のエレベータのかご１及び２のそれぞれに設置されたエアコン１１及び２１に対する制御が遠隔操作可能となり利便性を向上できる。【選択図】図１
2020007055.tif 000002
【特許請求の範囲】
【請求項１】
複数のエレベータのかごのそれぞれに設けられたエアコンと、前記エアコンとネットワークを介して接続された監視装置とを備えたエレベータ用エアコン管理システムであって、前記監視装置が前記複数のエアコンに対する制御を指示することを特徴としたエレベータ用エアコン管理システム。
【請求項２】
前記複数のエレベータのかご内のそれぞれに温度センサを設け、前記温度センサがエレベータのかご内の温度を一定の周期ごとに測定したエレベータのかご内の温度としての検出温度を前記監視装置にネットワークを介して送信し、前記監視装置は検出温度が前記監視装置で設定された設定温度に近づくように前記複数のエアコンに対する制御を指示することを特徴とする請求項１に記載のエレベータ用エアコン管理システム。
【請求項３】
前記監視装置は前記複数のエレベータのかごの設置された場所の気象情報を取り込んで前記複数のエアコンに対する制御を指示することを特徴とする請求項１のエレベータ用エアコン管理システム。
【請求項４】
前記監視装置は取り込んだ気象情報から前記設定温度を予約することを特徴とする請求項３のエレベータ用エアコン管理システム。
【請求項５】
前記監視装置は予め設定された時刻の気象情報に基づいて前記複数のエアコンに対する制御を指示することを特徴とする請求項３に記載の管理装置。
【請求項６】
前記複数のエレベータのかご内のそれぞれに人感センサを設け、前記人感センサが一定の周期ごとに測定したエレベータのかご内の人数としての検出人数を前記監視装置に前記ネットワークを介して送信し、前記監視装置は前記検出人数に基づき前記複数のエアコンに対する制御を指示することを特徴とする請求項１に記載のエレベータ用エアコン管理システム。
【請求項７】
前記監視装置は前記人数が前記監視装置に設定された所定数になると設定温度を変更することを特徴とする請求項４に記載のエレベータ用エアコン管理システム。
【発明の詳細な説明】
【技術分野】
【０００１】
本発明は、複数のエレベータ用エアコンを管理するシステムに関する。
【背景技術】
【０００２】
エレベータのかごに設置されたエアコンは、エアコンの室内機の吹出口の周囲に設けられたで測定された検出温度がかごに設けられたリモコンへの人の操作でエアコンの制御部に設定された設定温度に近づくように制御されるのが一般的である。近年では、特許文献１で開示されたように、かご内の乗客数や乗客の体温などの情報を用いて、エアコンに対する温度調整を行う試みもある。しかし、こうした従来技術では、エアコンに対する温度調整を行う場合、ビル設備管理者がエレベータのかごを呼び出して当該かごに設けられリモコンを操作する必要があり、オフィスビルのようにエレベータが数十台設けられている場合、エアコンに対する温度調整に多大な時間と労力と要することから、エアコンに対する制御を指示することに関して利便性の向上が望まれていた。
【先行技術文献】
【特許文献】
【０００３】
【特許文献１】特願２０１５‐１１７０８０号公報
【発明の概要】
【発明が解決しようとする課題】
【０００４】
本発明は、上記背景技術に鑑みてなされたものであり、複数のエレベータのかごに設置されたエアコンに対する制御を遠隔操作で指示して利便性を向上することができるエレベータ用エアコン管理システムの提供を目的とする。
【課題を解決するための手段】
【０００５】
本発明は、複数のエレベータのかごのそれぞれに設けられたエアコンと、前記エアコンとネットワークを介して接続された監視装置とを備えたエレベータ用エアコン管理システムであって、前記監視装置が前記複数のエアコンに対する制御を指示することを特徴とする。
【発明の効果】
【０００６】
本発明は、監視装置が複数のエレベータのかごのそれぞれに設けられたエアコンに対する制御を指示することにより、複数のエレベータのかごのそれぞれに設けられたエアコンに対する制御が遠隔操作可能となり利便性を向上することができる。本発明において、複数のエレベータのかご内のそれぞれに設けられた温度センサがエレベータのかご内の温度を一定の周期ごとに測定したエレベータのかご内の温度としての検出温度を監視装置にネットワークを介して送信し、監視装置は検出温度が監視装置で設定された設定温度に近づくように複数のエアコンに対する制御を指示すれば、複数のエアコンの制御に複数のエレベータのかごのそれぞれに設けた温度センサで測定した検出温度を用いたことにより、検出温度が複数のエレベータのかごのそれぞれに乗る人の体感温度に近くなり、快適な温度調整ができる。本発明において、監視装置は複数のエレベータのかごの設置された場所の気象情報を取り込んで複数のエアコンに対する制御を指示すれば、気象情報に基づき複数のエアコンに対する暖房運転又は冷房運転の制御の分析を行うことができる。本発明において、監視装置は取り込んだ気象情報から設定温度を予約すれば、監視装置が予め設定された時刻の気象情報による設定温度に基づいて複数のエアコンに対する制御を指示することができる。本発明において、監視装置は予め設定された時刻の気象情報に基づいて複数のエアコンに対する制御を指示すれば、監視装置が予め設定された時刻の気象情報に基づいて複数のエアコンに対する制御を指示することができる。本発明において、複数のエレベータのかご内のそれぞれに設けられた人感センサが一定の周期ごとに測定したエレベータのかご内の人数としての検出人数を監視装置にネットワークを介して送信し、監視装置は検出人数に基づき複数のエアコンに対する制御を指示すれば、複数のエレベータのかごのそれぞれに乗る人の混雑に基づき複数のエアコンの暖房運転又は冷房運転の制御が適切になる。本発明において、監視装置は人数が監視装置に設定された所定数になると設定温度を変更すれば、複数のエレベータのかごのそれぞれに乗る人が所定数以上になっても、複数のエアコンの暖房運転又は冷房運転の制御が適切になる。
【図面の簡単な説明】
【０００７】
【図１】発明を実施するための形態１に係るエレベータ用エアコン管理システムを示す構成図。
【図２】発明を実施するための形態１に係る管理データを示す図表。
【図３】発明を実施するための形態２に係るエレベータ用エアコン管理システムを示す構成図。
【図４】発明を実施するための形態３に係るエレベータ用エアコン管理システムを示す構成図。
【発明を実施するための形態】
【０００８】
図１に示した発明を実施するための形態１に係るエレベータ用エアコン管理システムは、エレベータのかご１にエアコン１１とリモコン１２と温度センサ１３とを設け、エレベータのかご２にエアコン２１とリモコン２２と温度センサ２３とを設け、エアコン１に対する制御をリモコン１２とネットワーク３１を経由して接続された監視装置４１で指示すことにより、又、エアコン２１に対する制御をリモコン２２とネットワーク３１を経由して接続された監視装置４１で指示することにより、複数のエレベータのかご１及び２のそれぞれに設置されたエアコン１１及び２１に対する制御が遠隔操作可能となり利便性を向上できる。複数のエレベータのかごは、エレベータのかご１及び２の２台に限定されるものでなく、３台以上でも良い。
【０００９】
エレベータのかご１にはかごの識別子としてかごＩＤ：０１が付与され、かごＩＤ：０１のエレベータのかご１に設けられたエアコン１１にはエアコン１１の識別子としてエアコンＩＤ：０１１が付与され、かごＩＤ：０１のエレベータのかご１に設けられたリモコン１２にはリモコン１２の識別子としてリモコンＩＤ：０１２が付与され、かごＩＤ：０１のエレベータのかご１に設けられた温度センサ１３には温度センサ１３の識別子として温度センサＩＤ：０１３が付与されたものとする。
【００１０】
エレベータのかご２にはかごの識別子としてかごＩＤ：０２が付与され、かごＩＤ：０２のエレベータのかご２に設けられたエアコン２１にはエアコン２１の識別子としてエアコンＩＤ：０２１が付与され、かごＩＤ：０２のエレベータのかご２に設けられたリモコン２２にはリモコン２２の識別子としてリモコンＩＤ：０２２が付与され、かごＩＤ：０２のエレベータのかご２に設けられた温度センサ２３には温度センサ２３の識別子として温度センサＩＤ：０２が付与されたものとする。
【００１１】
エアコン１１又は２１は、ヒートポンプ式のエアコンにより構成され、リモコン１２又は２２から入力された暖房運転と冷房運転と設定温度４２と運転開始と運転停止等の制御信号に基づき、エレベータの電源部から供給された電力により、圧縮機と室内機に設けられたファンと室外機に設けられたファンと流路切換弁とを制御して冷房運転又は暖房運転を行うようになっている。
【００１２】
エアコン１１又は２１の冷房運転又は暖房運転に伴い、室内機のファンがエレベータのかご１又は２内の空気を室内機の熱交換器に吹き付けて熱交換を行い、この熱交換を受けた冷房用又は暖房用の空気をエレベータのかご１又は２の天井からエレベータのかご１又は２内に吹き出すようになっている。
【００１３】
リモコン１２又は２２は、エレベータのかご１又は２内の側壁に設けられ、エレベータの電源部又はリモコン１２又は２２に設けられたバッテリから供給された電力により、監視装置４１から出力されたエアコン１１又は２１に対する制御信号をネットワーク３１からＷｉＦｉ（登録商標）等による無線で受信し、当該受信した制御信号を赤外線等による無線でエアコン１１又は２１に送信するようになっている。
【００１４】
温度センサ１３又は２３は、エレベータのかご１又は２内の側壁に設けられ、エレベータの電源部又は温度センサ１３又は２３に設けられたバッテリの電力により、エレベータのかご１又は２内の温度を一定の周期ごとに測定し、温度センサＩＤ：０１３又は０２３と測定したエレベータのかご１又は２内の温度としての検出温度とをネットワーク３１にＷｉＦｉ（登録商標）等による無線で送信する。この温度センサ１３又は２３から出力された温度センサＩＤ：０１３又は０２３と検出温度とが監視装置４１に受信される。
【００１５】
監視装置４１は、サーバにより構成され、設定温度４２と管理データ４３と処理手段４４と操作部４５とを備える。
【００１６】
設定温度４２は、人が操作部４５を操作して、エアコンＩＤ：０１１又は０２１とエアコンＩＤ：０１１又は０２１ごとに対する設定温度４２とが監視装置４１に入力されると、入力されたエアコンＩＤ：０１１又は０２１と設定温度４２とが一対一に対応付けられて監視装置４１の記憶部に記憶される。エアコン１１に対する設定温度４２とエアコン２１に対する設定温度４２とが同じ数値又は異なる数値でも適用可能である。
【００１７】
管理データ４３には、図２に示すように、かごＩＤ：０１又は０２又は０３等と、エアコンＩＤ：０１１又は０２１又は０３１等と、リモコンＩＤ：０１２又は０２２又は０３２等と、温度センサＩＤ：０１３又は０２又は０３２３等とが、予め書き込まれている。
【００１８】
そして、図１に示すように、温度センサ１３又は２３から温度センサＩＤ：０１３又は０２３と検出温度とが監視装置４１に受信されると、処理手段４４が温度センサＩＤ：０１３又は０２３を管理データ４３に照合して管理データ４３のエアコンＩＤ：０１１又０２１に対応するとして特定された部分に温度センサＩＤ：０１３又は０２３に対応する検出温度を記憶する。これにより、管理データ４３が複数のエアコン１１又は２１と検出温度との関係を規定した図２に示す収集データとして監視装置４１の記憶部に蓄積される。
【００１９】
処理手段４４は、監視装置４１に受信された検出温度に基づきエアコン１１又は２１に対する制御信号を生成し、その生成した制御信号をリモコン１２又は２２にネットワーク３１を経由して出力する機能部であって、監視装置４１を構成するサーバにコンピュータプログラムとして格納されたソフトウエアで具現化される。
【００２０】
図１に示したエレベータ用エアコン管理システムは、次のように動作する。人が操作部４５を操作し、エアコンＩＤ：０１１又は０２１とエアコンＩＤ：０１１又は０２１ごとに対する設定温度４２とが監視装置４１に入力されると、処理手段４４がエアコンＩＤ：０１１又は０２１を管理データ４３に照合して管理データ４３のエアコンＩＤ：０１１又０２１に対応として特定された部分にエアコンＩＤ：０１１又は０２１ごとに対応する設定温度４２を記憶する。これにより、管理データ４３が複数のエアコン１１又は２１と設定温度との関係を規定した図２に示した収集データとして監視装置４１の記憶部に蓄積される。
【００２１】
その後、処理手段４４が監視装置４１の管理データ４３から一対一に対応付けられたリモコンＩＤ：０１２又は０２２と設定温度４２とを抽出してネットワーク３１に送信する。このネットワーク３１に送信されたリモコンＩＤ：０１２又は０２２と設定温度４２とが設定温度４２に付されたリモコンＩＤ：０１２又は０２２に対応するリモコン１２又は２２に受信され、リモコン１２又は２２が受信した設定温度４２をエアコン１１又は２１に送信し、エアコン１１又は２１が受信した設定温度４２をエアコン１１又は２１の記憶部に記憶する。
【００２２】
又、人が操作部４３を操作し、エアコンＩＤ：０１１又は０２１とエアコンＩＤ：０１１又は０２１ごとに対する暖房運転又は冷房運転とが監視装置４１に入力されると、処理手段４４がエアコンＩＤ：０１１又は０２１を管理データ４３に照合して管理データ４３のエアコンＩＤ：０１１又０２１に対応するとして特定された部分にエアコンＩＤ：０１１又は０２１に対応する暖房運転又は冷房運転を記憶する。これにより、管理データ４３が複数のエアコン１１又は２１と暖房運転又は冷房運転との関係を規定した図２に示す収集データとして監視装置４１の記憶部に蓄積される。
【００２３】
その後、処理手段４４が監視装置４１の管理データ４３からリモコンＩＤ：０１２又は０２２に基づきリモコンＩＤ：０１２又は０２２に対応する暖房運転又は冷房運転とリモコンＩＤ：０１２又は０２２とを抽出してネットワーク３１に送信する。このネットワーク３１に送信されたリモコンＩＤ：０１２又は０２２と暖房運転又は冷房運転とが暖房運転又は冷房運転に付されたリモコンＩＤ：０１２又は０２２に対応するリモコン１２又は２２に受信され、リモコンＩＤ：０１２又は０２２が受信した暖房運転又は冷房運転をエアコン１１又は２１に送信し、エアコン１１又は２１が受信した暖房運転又は冷房運転をエアコン１１又は２１の記憶部に記憶する。
【００２４】
前記のようにエアコン１１又は２１ごとに対する設定温度４２及びエアコン１１又は２１ごとに対する暖房運転又は冷房運転が管理データ４３に収集データとして書き込まれ、エアコン１１又は２１が停止した状態において、人が操作部４３を操作し、エアコンＩＤ：０１１又は０２１ごとに対する運転開始が監視装置４１に入力されると、処理手段４４がエアコンＩＤ：０１１又は０２１を管理データ４３に照合して管理データ４３のエアコンＩＤ：０１１又０２１に対応するとして特定された部分にエアコンＩＤ：０１１又は０２１に対応する運転開始及びその時刻を記憶する。この時刻は、処理手段４４が管理データ４３に記憶するときの時刻を監視装置４１に設けられた時計機能から取得して管理データ４３に記憶すれば良い。これにより、管理データ４３が複数のエアコン１１又は２１と運転開始及びその時刻との関係を規定した図２に示した収集データとして監視装置４１の記憶部に蓄積される。
【００２５】
その後、処理手段４４が監視装置４１の管理データ４３からリモコンＩＤ：０１２又は０２２に基づきリモコンＩＤ：０１２又は０２２ごとに対応する運転開始とリモコンＩＤ：０１２又は０２２とを抽出してネットワーク３１に送信する。このネットワーク３１に送信されたリモコンＩＤ：０１２又は０２２と運転開始とが運転開始に付されたリモコンＩＤ：０１２又は０２２に対応するリモコン１２又は２２に受信され、リモコン１２又は２２が受信した運転開始をエアコン１１又は２１に送信し、エアコン１１又は２１が受信した運転開始を記憶部に記憶しかつ前記記憶部に記憶された暖房運転又は冷房運転に基づく運転を開始する。このエアコン１１又は２１の運転開始により、エアコン１１又は２１の圧縮機と流路切換弁と室内機のファンと室外機のファンとが駆動する。
【００２６】
エアコン１１又は２１が暖房運転されている場合は、圧縮機で圧縮されて高温高圧になった冷媒は流路切換弁を通って室内機の熱交換器に向かい、室内機の熱交換器では冷媒が室内機のファンによる風によって冷やされ、冷媒が低温高圧になり、室内機のファンによる風が熱交換器の冷媒から熱を奪って温風となって室内機の吹出口からエレベータのかご１又は２内に吹き出される。そして、室内機の熱交換器で低温高圧になった冷媒がキャピラリチューブの配管抵抗によって低温低圧になり、蒸発しやすくなって室外機の熱交換器に向かい、室外器の熱交換器では冷媒が室外機のファンによる風から熱を奪って蒸発し高温低圧になって流路切換弁を通って圧縮機に戻る。つまり、暖房運転のエアコン１１又は２１は、エレベータのかご１又は２内の空気を室内機のファンで室内機の熱交換器にさらして暖めてエレベータのかご１又は２内に戻すように循環して暖房を行う。
【００２７】
前記エアコン１１又は２１の暖房運転中において、検出温度が設定温度に近づくのに伴い、エアコン１１又は２１の圧縮機と室内機のファンと室外機のファンとの回転速度が低下する。そして、検出温度がエアコン１１又は２１の記憶部に記憶された設定温度４２に対する許容範囲の上限値（設定温度４２より１℃又は１．５℃高い値に設定されている）に到達すると、エアコン１１又は２１の圧縮機と室内機のファンと室外機のファンとが停止し、エアコン１１又は２１の暖房運転が一時的に停止する。
【００２８】
前記のように検出温度が設定温度４２に対する許容範囲の上限値に到達したとして、エアコンの暖房運転が一時的に停止し、その停止の継続に伴い、検出温度がエアコン１１又は２１の記憶部に記憶された設定温度４２に対する許容範囲の下限値（設定温度４２より１℃又は１．５℃低い値に設定されている）に到達すると、エアコン１１又は２１の圧縮機と室内機のファンと室外機のファンとが駆動し、エアコン１１又は２１の暖房運転が再開する。
【００２９】
前記のように検出温度が設定温度４２に対する許容範囲の上限値に達した場合に、上限値に到達したアラートをエアコン１１又は２１から監視装置４１の管理者に通知するようにしても良い。それには、エアコン１１又は２１に通信機能部を設け、この通信機能部が上限値に到達したアラートを監視装置４１の管理者の所持する携帯端末にメール等でデータ送信するか又はネットワーク３１を経由して監視装置４１にデータ送信し、前記管理者の所持する携帯端末又は監視装置４１が受信したデータをディスプレイに表示することで、実態の早期把握できる。
【００３０】
又、エアコン１１又は２１が冷房運転されている場合は、圧縮機で圧縮されて高温高圧になった冷媒は流路切換弁を通って室外機の熱交換器に向かい、室外機の熱交換器では冷媒が室外機のファンによる風によって冷やされ、冷媒が低温高圧になり、この低温高圧になった冷媒がキャピラリチューブの配管抵抗によって低温低圧になり、蒸発しやすくなって室内機の熱交換器に向かい、室内機のファンによる風が室内機の熱交換器の冷媒で冷やされて冷風となって室内機の吹出口からエレベータのかご１又は２内に吹き出される。そして、室内機のファンによる風から熱を奪って蒸発し高温低圧となった冷媒が流路切換弁を通って圧縮機に戻る。つまり、冷房運転のエアコン１１又は２１は、エレベータのかご１又は２内の空気を室内機のファンで室内機の熱交換器にさらして冷やしてエレベータのかご１又は２内に戻すように循環して冷房を行う。
【００３１】
前記エアコン１１又は２１の冷房運転中において、検出温度が設定温度に近づくのに伴い、エアコン１１又は２１の圧縮機と室内機のファンと室外機のファンとの回転速度が低下する。そして、検出温度がエアコン１１又は２１の記憶部に記憶された設定温度４２に対する許容範囲の下限値（設定温度４２より１℃又は１．５℃低い値に設定されている）に到達すると、エアコン１１又は２１の圧縮機と室内機のファンと室外機のファンとが停止し、エアコン１１又は２１の冷房運転が一時的に停止する。
【００３２】
前記のように検出温度が設定温度４２に対する許容範囲の下限値に到達したとして、エアコンの冷房運転が一時的に停止し、その停止の継続に伴い、検出温度がエアコン１１又は２１の記憶部に記憶された設定温度４２に対する許容範囲の上限値（設定温度４２より１℃又は１．５℃高い値に設定されている）に到達すると、エアコン１１又は２１の圧縮機と室内機のファンと室外機のファンとが駆動し、エアコン１１又は２１の冷房運転が再開する。
【００３３】
又、人が操作部４３を操作し、エアコンＩＤ：０１１又は０２１ごとに対する運転停止が監視装置４１に入力されると、処理手段４４がエアコンＩＤ：０１１又は０２１を管理データ４３に照合して管理データ４３のエアコンＩＤ：０１１又０２１に対応するとして特定された部分にエアコンＩＤ：０１１又は０２１に対応する運転停止及びその時刻を記憶する。これにより、管理データ４３が複数のエアコン１１又は２１と運転停止及びその時刻との関係を規定した図２に示した収集データとして監視装置４１の記憶部に蓄積される。
【００３４】
その後、処理手段４４が監視装置４１の管理データ４３からリモコンＩＤ：０１２又は０２２に基づきリモコンＩＤ：０１２又は０２２ごとに対応する運転停止とリモコンＩＤ：０１２又は０２２とを抽出してネットワーク３１に送信する。このネットワーク３１に送信されたリモコンＩＤ：０１２又は０２２と運転停止とが運転停止に付されたリモコンＩＤ：０１２又は０２２に対応するリモコン１２又は２２に受信され、リモコン１２又は２２が受信した運転停止をエアコン１１又は２１に送信し、エアコン１１又は２１が受信した運転停止を記憶部に記憶しかつ前記記憶部に記憶された暖房運転又は冷房運転に基づく運転を停止する。このエアコン１１又は２１の運転の停止により、エアコン１１又は２１の圧縮機と流路切換弁と室内機のファンと室外機のファンとが停止する。
【００３５】
図１に示したエレベータ用エアコン管理システムによれば、エアコン１１又は２１の制御にエレベータのかご１又は２に設けた温度センサ１３又は２３で測定した検出温度を用いたことにより、エレベータのかご１又は２に乗る人の体感温度に近くなり、快適な温度調整ができる。
【００３６】
又、図１に示したエレベータ用エアコン管理システムによれば、複数のエレベータのかご１及び２のそれぞれに設置されたエアコン１１及び２１の制御を監視装置４１で遠隔操作することができる。尚、複数のエレベータのかご１及び２が１つのビル等の建物に設けられても複数のビル等の建物に分けられて設けられても１つの監視装置４１で複数のエレベータのかご１予備２のそれぞれに設けられたエアコン１１及び２１に対する制御を遠隔操作することができる。
【００３７】
暖房運転又は冷房運転が繰り返される管理データ４３の履歴を、人間の知的能力をコンピュータで実現するＡＩ（artificial intelligence：人工知能）の技術を用いた処理手段４４で分析して設定温度４２を作成しても良い。
【００３８】
監視装置４１に接続したディスプレイで管理データ４３を表示すれば、管理データ４３の可視化が図れる。このように管理データ４３の可視化を図ることで、管理データ４３の履歴を可視化し、グラフなどで推移を表示することで、故障の事前検知や清掃のタイミングなどを監視装置４１の管理者が把握できる。例えば、設定温度に対して検出温度が到達予定時期を過ぎても達しない場合は、監視装置４１の管理者が故障や清掃が必要と判断ができる。
【００３９】
温度センサ１３及び２３のエレベータのかご１又は２内の表面又はエレベータのかご１又は２内の表面にディスプレイを設けて温度センサ１３及び２３で測定した検出温度を表示すれば、検出温度の可視化が図れる。このように測定した検出温度の履歴を可視化し、グラフなどで推移を表示することで、故障の事前検知や清掃のタイミングなどをエレベータのかご１又は２に乗った人が把握できる。例えば、設定温度に対して検出温度が到達予定時期を過ぎても達しない場合は、エレベータのかご１又は２に乗った人が故障や清掃が必要と判断ができる。
【００４０】
尚、図１における温度センサ１３及び２３に加えて湿度センサを各エレベータのかご１及び２内に設け、湿度センサで検出された各エレベータのかご１及び２内の湿度としての検出湿度を検出温度と同様にネットワーク３１を経由して監視装置４１に送信し、検出温度及び検出湿度でエアコン１１又は２１を制御するようにしても適用可能である。この場合、温度センサ１３及び２３と湿度センサとを温湿度センサとして一体に構成しても適用可能である。
【００４１】
又、エアコン１１又は２１における室内機の冷房用又は暖房用の空気が吹き出される周囲にエアコン温度センサを設け、このエアコン温度センサで検出された検出温度と温度センサ１３及び２３で検出された検出温度とを用いてエアコン１１又は２１を監視装置４１で遠隔操作するようにしても良い。
【００４２】
例えば、エアコン温度センサで検出された検出温度を検出エアコン温度と言い、温度センサ１３及び２３で検出された検出温度を検出かご温度と言う。そして、検出エアコン温度が設定温度４２に対する許容範囲の上限値に到達したとして、エアコンの暖房運転又は冷房運転での温度調整の出力が低下又は一時的に停止し、その低下又は停止の継続に伴い、検出エアコン温度が設定温度４２に対する許容範囲の下限値に到達すると、処理手段４４が検出かご温度の変化又は変化の度合いを調べ、検出かご温度の変化又は変化の度合いが暖房運転では下降を示す場合又は冷房運転のでは上昇を示す場合には、処理手段４４が暖房運転では設定温度４４よりも高い設定温度又は冷房運転では設定温度４４よりも低い設定温度に変更して、エアコン１１又は２１を監視装置４１で遠隔操作しても良い。
【００４３】
又、リモコン１２及び２２を除去し、エアコン１１又は２１が監視装置４１から出力されたエアコン１１又は２１に対する制御信号をネットワーク３１からＷｉＦｉ（登録商標）等による無線で受信するようになっていても良い。
【００４４】
図３に示した発明を実施するための形態２に係るエレベータ用エアコン管理システムは、エレベータのかご１及び２の設置された場所の気象情報５１を監視装置４１にインターネットを経由して取り込むことにより、温度センサ１３及び２３による検出温度と気象情報５１とによる暖房運転又は冷房運転に対する管理データ４３の分析を行うことが可能になる。よって、気象情報５１に基づき暖房運転又は冷房運転に対する管理データ４３の分析を行うことができる。例えば、予め設定された時刻としての明朝の気象情報５１から明朝に暖房運転又は冷房運転を開始するときの設定温度４２を管理データ４３に予約として記憶させることにより、監視装置４１が予め設定された時刻の気象情報による設定温度４２に基づいて複数のエアコン１１又は２２に対する制御を指示することができる。
【００４５】
又、エレベータのかご１及び２の設置された場所又は周辺で行われる催し物や行事等のイベント情報を監視装置４１にインターネットを経由して取り込むことにより、温度センサ１３及び２３による検出温度とイベント情報とによる暖房運転又は冷房運転に対する管理データ４３の分析を行うことが可能になる。イベント情報を加味した暖房運転又は冷房運転に対する管理データ４３の分析を行うことにより、例えば、イベント情報の予報からイベントの行わる日においてエレベータのかご１及び２に乗る人の多さを予想した設定温度４２を管理データ４３に予約として記憶させることができる。
【００４６】
図４に示した発明を実施するための形態３に係るエレベータ用エアコン管理システムは、エレベータのかご１内に人感センサ１４を設け、エレベータのかご２に人感センサ２４を設け、複数の人感センサ１４又は２４が一定の周期ごとに測定したエレベータのかご１又は２内の人数としての検出人数を監視装置４１にネットワーク３１を介して送信し、監視装置４１は前記検出人数に基づき複数のエアコン１１又は２２に対する制御を指示するようになっている。これにより、エレベータのかご１又は２に乗る人の混雑に基づきエアコン１１又は２１の暖房運転又は冷房運転が適切になる。
【００４７】
人感センサ１４には人感センサ１４の識別子として人感センサＩＤ：０１４が付与され、人感センサ２４には人感センサ２４の識別子として人感センサＩＤ：０２４が付与されたものとする。
【００４８】
人感センサ１４又は２４は、エレベータの電源部又は人感センサ１４又は２４に設けられたバッテリの電力により、エレベータのかご１又は２に乗った人数を一定の周期ごとに測定し、人感センサＩＤ：０１４又は０２４と測定した人数としての検出人数とをネットワーク３１にＷｉＦｉ（登録商標）等による無線で送信する。
【００４９】
そして、人感センサ１４又は２４から出力された人感センサＩＤ：０１４又は０２４と検出人数とが監視装置４１に受信されると、処理手段４４が人感センサＩＤ：０１４又は０２４を管理データ４３に照合して管理データ４３の人感センサＩＤ：０１４又は０２４に対応するとして特定された部分に人感センサＩＤ：０１４又は０２４に対応する検出人数を記憶することにより、管理データ４３が検出人数の記憶された収集データとして監視装置４１の記憶部に蓄積される。
【００５０】
処理手段４３は、監視装置４１に受信された検出温度及び検出人数に基づきエアコン１１又は２１に対する制御信号を生成し、その生成した制御信号をリモコン１２又は２２にネットワーク３１を経由して出力することにより、エレベータのかご１又は２に乗る人の混雑に基づきエアコン１１又は２１の暖房運転又は冷房運転の制御ができる。
【００５１】
処理手段４３は、検出人数が監視装置４１に設定された所定数以上になると設定温度４２を変更すれば、エレベータのかご１又は２に乗る人が所定数以上になってもエアコン１１又は２１の暖房運転又は冷房運転の制御が適切になる。又、処理手段４３は、所定数を超えた検出人数に応じて設定温度４２を変更すれば、エアコン１１又は２１の暖房運転又は冷房運転の制御が一層適切になる。
【符号の説明】
【００５２】
１及び２      エレベータのかご
１１及び２１  エアコン
１２及び２２  リモコン
１３及び２３  温度センサ
１４及び２４  人感センサ
３１          ネットワーク
４１          監視装置
４２          設定温度
４３          管理データ
４４          処理手段
４５          操作部
５１          気象情報
【図１】
2020007055.tif 000003
【図２】
2020007055.tif 000004
【図３】
2020007055.tif 000005
【図４】
2020007055.tif 000006